(57)【要約】【課題】照明器具の調色の設定を容易にすることができる照明制御装置を提供する。【解決手段】照明制御装置１００は、照明器具２４０を制御する。照明器具２４０は、第１光源２４１と第２光源２４２とを有する。照明制御装置１００は、第１光源変更部２２と、第２光源変更部２４と、表示制御部２６とを備える。第１光源変更部２２は、第１光源２４１の第１発光比率Ｒ１を変更する。第２光源変更部２４は、第２光源２４２の第２発光比率Ｒ２を変更する。表示制御部２６は、第１発光比率Ｒ１と第２発光比率Ｒ２とを表示部６０に表示させる。第１発光比率Ｒ１は、第１光源２４１の最大光量に対する第１光源２４１の光量の割合を示す。第２発光比率Ｒ２は、第２光源２４２の最大光量に対する第２光源２４２の光量の割合を示す。【選択図】図２
2017212096.tif 000002
【特許請求の範囲】
【請求項１】
第１光源と第２光源とを有する照明器具を制御する照明制御装置であって、
前記第１光源の第１発光比率を変更する第１光源変更部と、
前記第２光源の第２発光比率を変更する第２光源変更部と、
前記第１発光比率と前記第２発光比率とを表示部に表示させる表示制御部と
を備え、
前記第１発光比率は、前記第１光源の最大光量に対する前記第１光源の光量の割合を示し、
前記第２発光比率は、前記第２光源の最大光量に対する前記第２光源の光量の割合を示す、照明制御装置。
【請求項２】
前記表示制御部は、発光比率制御画面を前記表示部に表示させ、
前記発光比率制御画面は、
外部からの操作を受け付けて第１制御値を入力する第１入力部と、
前記外部からの操作を受け付けて第２制御値を入力する第２入力部と
を有し、
前記第１光源変更部は、前記第１制御値が示す発光比率を前記第１発光比率として設定し、
前記第２光源変更部は、前記第２制御値が示す発光比率を前記第２発光比率として設定する、請求項１に記載の照明制御装置。
【請求項３】
前記第１入力部は、
前記第１光源の前記最大光量に対応する長さを有する第１発光比率バーと、
前記外部からの操作に応じて前記第１発光比率バー上をスライドする第１カーソルと
を有し、
前記第２入力部は、
前記第２光源の前記最大光量に対応する長さを有する第２発光比率バーと、
前記外部からの操作に応じて前記第２発光比率バー上をスライドする第２カーソルと
を有する、請求項２に記載の照明制御装置。
【請求項４】
前記発光比率制御画面は、第１逐次表示領域と第２逐次表示領域とを含み、
前記第１逐次表示領域は、前記第１カーソルに対応付けて表示され、
前記第１カーソルへの前記外部からの前記操作に応じて、前記第１逐次表示領域には、前記第１制御値の示す前記発光比率が前記第１発光比率として表示され、
前記第１制御値は、前記第１カーソルの位置に応じた値を示し、
前記第２逐次表示領域は、前記第２カーソルに対応付けて表示され、
前記第２カーソルへの前記外部からの前記操作に応じて、前記第２逐次表示領域には、前記第２制御値の示す前記発光比率が前記第２発光比率として表示され、
前記第２制御値は、前記第２カーソルの位置に応じた値を示す、請求項３に記載の照明制御装置。
【請求項５】
前記発光比率制御画面は、第１決定表示領域と第２決定表示領域とを含み、
前記外部からの前記操作の終了に応じて、前記第１決定表示領域には、前記第１制御値の示す前記発光比率が前記第１発光比率として表示され、
前記外部からの前記操作の終了に応じて、前記第２決定表示領域には、前記第２制御値の示す前記発光比率が前記第２発光比率として表示される、請求項３または請求項４に記載の照明制御装置。
【請求項６】
請求項１から請求項５のいずれか１項に記載の照明制御装置と、
前記照明器具と
を備え、
前記照明制御装置は前記照明器具を制御する、照明システム。
【発明の詳細な説明】
【技術分野】
【０００１】
本発明は、照明制御装置および照明システムに関する。
【背景技術】
【０００２】
タブレット型端末のような携帯端末を使用して、照明器具の調光・調色の設定を行う照明システムが知られている（例えば、特許文献１）。特許文献１に記載された照明システムのコントローラーは、色温度を変更することによって、調色の設定を行っている。
【先行技術文献】
【特許文献】
【０００３】
【特許文献１】特開２０１４−４４９１５号公報
【発明の概要】
【発明が解決しようとする課題】
【０００４】
しかしながら、色温度を用いて調色の設定を行う場合、照明器具の調色の設定を行うことが容易ではなかった。
【０００５】
本発明は上記課題に鑑みてなされたものであり、その目的は照明器具の調色の設定を容易にすることができる照明制御装置および照明システムを提供することにある。
【課題を解決するための手段】
【０００６】
本願に開示する照明制御装置は、照明器具を制御する。前記照明器具は、第１光源と第２光源とを有する。前記照明制御装置は、第１光源変更部と、第２光源変更部と、表示制御部とを備える。前記第１光源変更部は、前記第１光源の第１発光比率を変更する。前記第２光源変更部は、前記第２光源の第２発光比率を変更する。前記表示制御部は、前記第１発光比率と前記第２発光比率とを表示部に表示させる。前記第１発光比率は、前記第１光源の最大光量に対する前記第１光源の光量の割合を示す。前記第２発光比率は、前記第２光源の最大光量に対する前記第２光源の光量の割合を示す。
【０００７】
本願に開示する照明制御装置において、前記表示制御部は、発光比率制御画面を前記表示部に表示させることが好ましい。前記発光比率制御画面は、第１入力部と、第２入力部とを有することが好ましい。前記第１入力部は、外部からの操作を受け付けて第１制御値を入力することが好ましい。前記第２入力部は、前記外部からの操作を受け付けて第２制御値を入力することが好ましい。前記第１光源変更部は、前記第１制御値が示す発光比率を前記第１発光比率として設定することが好ましい。前記第２光源変更部は、前記第２制御値が示す発光比率を前記第２発光比率として設定することが好ましい。
【０００８】
本願に開示する照明制御装置において、前記第１入力部は、第１発光比率バーと、第１カーソルとを有することが好ましい。前記第１発光比率バーは、前記第１光源の前記最大光量に対応する長さを有することが好ましい。前記第１カーソルは、前記外部からの操作に応じて前記第１発光比率バー上をスライドすることが好ましい。前記第２入力部は、第２発光比率バーと、第２カーソルとを有することが好ましい。前記第２発光比率バーは、前記第２光源の前記最大光量に対応する長さを有することが好ましい。前記第２カーソルは、前記外部からの操作に応じて前記第２発光比率バー上をスライドすることが好ましい。
【０００９】
本願に開示する照明制御装置において、前記発光比率制御画面は、第１逐次表示領域と第２逐次表示領域とを含むことが好ましい。前記第１逐次表示領域は、前記第１カーソルに対応付けて表示されることが好ましい。前記第１カーソルへの前記外部からの前記操作に応じて、前記第１逐次表示領域には、前記第１制御値の示す前記発光比率が前記第１発光比率として表示されることが好ましい。前記第１制御値は、前記第１カーソルの位置に応じた値を示すことが好ましい。前記第２逐次表示領域は、前記第２カーソルに対応付けて表示されることが好ましい。前記第２カーソルへの前記外部からの前記操作に応じて、前記第２逐次表示領域には、前記第２制御値の示す前記発光比率が前記第２発光比率として表示されることが好ましい。前記第２制御値は、前記第２カーソルの位置に応じた値を示すことが好ましい。
【００１０】
本願に開示する照明制御装置において、前記発光比率制御画面は、第１決定表示領域と第２決定表示領域とを含むことが好ましい。前記外部からの前記操作の終了に応じて、前記第１決定表示領域には、前記第１制御値の示す前記発光比率が前記第１発光比率として表示されることが好ましい。前記外部からの前記操作の終了に応じて、前記第２決定表示領域には、前記第２制御値の示す前記発光比率が前記第２発光比率として表示されることが好ましい。
【００１１】
本願に開示する照明システムは、上記に記載の照明制御装置と、前記照明器具とを備える。前記照明制御装置は前記照明器具を制御する。
【発明の効果】
【００１２】
本発明によれば、照明器具の調色の設定を容易にすることができる。
【図面の簡単な説明】
【００１３】
【図１】本発明の実施形態に係る照明システムのブロック図である。
【図２】本発明の実施形態に係る照明システムの照明制御装置のブロック図である。
【図３】本発明の実施形態に係る照明制御装置の制御方法を示すフローチャートである。
【図４】ホーム画面を示す模式図である。
【図５】ホーム画面を示す模式図である。
【図６】発光比率制御画面を示す模式図である。
【図７】グループ発光比率制御部を示す模式図である。
【図８】組合せパターン選択画面を示す模式図である。
【図９】組合せパターン選択画面を示す模式図である。
【図１０】組合せパターン選択画面を示す模式図である。
【図１１】組合せパターン選択画面を示す模式図である。
【図１２】スケジュール画面を示す模式図である。
【図１３】スケジュール画面を示す模式図である。
【図１４】本発明の実施形態に係る照明制御装置の動作モード移行方法を示すフローチャートである。
【発明を実施するための形態】
【００１４】
以下、本発明の実施形態について、図面を参照しながら説明する。なお、図中、同一または相当部分については同一の参照符号を付して説明を繰り返さない。
【００１５】
図１を参照して、本発明の実施形態に係る照明システム３００について説明する。図１は、本発明の実施形態に係る照明システム３００のブロック図である。図２は、本発明の実施形態に係る照明システム３００の照明制御装置１００のブロック図である。
【００１６】
図１に示すように、照明システム３００は、照明制御装置１００と、照明ユニット２００とを備える。
【００１７】
照明ユニット２００は、複数の系統の照明装置グループを有する。本実施形態では、照明ユニット２００は、照明装置グループ２１０ａと、照明装置グループ２１０ｂと、照明装置グループ２１０ｃと、照明装置グループ２１０ｄとを有する。照明装置グループ２１０ａと、照明装置グループ２１０ｂと、照明装置グループ２１０ｃと、照明装置グループ２１０ｄとの各々は、少なくとも１つの照明装置を有する。
【００１８】
照明装置グループ２１０ａは、無線ユニット２５０ａと、３つの照明装置２２０ａと、信号線２７０ａとを有する。無線ユニット２５０ａと、３つの照明装置２２０ａとは、信号線２７０ａを介して、直列に接続されている。照明装置２２０ａの調光方式は、例えば、ＰＷＭ（Ｐｕｌｓｅ Ｗｉｄｔｈ Ｍｏｄｕｌａｔｉｏｎ）調光方式である。
【００１９】
照明装置２２０ａの各々は、電源２３０ａと、照明器具２４０ａと、電源線２８０ａとを有する。電源２３０ａは、電源線２８０ａを介して照明器具２４０ａに電力を供給する。照明器具２４０ａは、第１光源２４１ａと、第２光源２４２ａとを有する。
【００２０】
第１光源２４１ａは、第１光色を有する。第１光色は、例えば、色温度２７００ケルビン（電球色）である。第１光源２４１ａは、複数の発光素子を含む。複数の発光素子の各々は、例えば、白色ＬＥＤ（Ｌｉｇｈｔ  Ｅｍｉｔｔｉｎｇ  Ｄｉｏｄｅ）である。
【００２１】
第２光源２４２ａは、第１光色とは異なる第２光色を有する。第２光色は、例えば、色温度５０００ケルビン（寒色）である。第２光源２４２ａは、複数の発光素子を含む。複数の発光素子の各々は、例えば、白色ＬＥＤである。
【００２２】
無線ユニット２５０ａは、例えば、ＰＷＭ無線ユニットである。無線ユニット２５０ａは、照明制御装置１００から送信された制御信号を、無線通信を介して受信する。無線通信は、例えば、無線ＬＡＮ（Ｌｏｃａｌ  Ａｒｅａ  Ｎｅｔｗｏｒｋ）である。無線ユニット２５０ａは、例えば、ＰＷＭ調光方式用の信号を信号線２７０ａを介して照明装置２２０ａに出力する。
【００２３】
照明装置グループ２１０ｂは、無線ユニット２５０ｂと、１つの照明装置２２０ｂと、信号線２７０ｂとを有する。無線ユニット２５０ｂと照明装置２２０ｂとのそれぞれは、無線ユニット２５０ａと照明装置２２０ａと同様の構成を有するので説明を省略する。
【００２４】
照明装置グループ２１０ｃは、１つの照明装置２２０ｃを有する。照明装置２２０ｃは、電源２３０ｃに無線ボード２６０ｃを有する点を除いて、照明装置２２０ａと同様の構成を有するので重複部分については説明を省略する。照明装置２２０ｃは、電源２３０ｃと、照明器具２４０ｃと、電源線２８０ｃとを有する。電源２３０ｃは、無線ボード２６０ｃを有する。無線ボード２６０ｃは、照明制御装置１００から送信された制御信号を、無線通信を介して受信する。無線通信は、例えば、無線ＬＡＮである。無線ボード２６０ｃは、例えば、ＰＷＭ調光方式用の信号を電源線２８０ｃを介して照明器具２４０ｃに出力する。
【００２５】
照明装置グループ２１０ｄは、１つの照明装置２２０ｄを有する。照明装置２２０ｄは、照明装置２２０ｃと同様の構成を有するので説明を省略する。照明装置２２０ｄは、電源２３０ｄと、照明器具２４０ｄと、電源線２８０ｄとを有する。電源２３０ｄは、無線ボード２６０ｄを有する。無線ボード２６０ｄは、無線ボード２６０ｃと同様の構成を有するので説明を省略する。
【００２６】
なお、本明細書において、照明装置グループ２１０ａ〜２１０ｄを総称して照明装置グループ２１０と記載することがある。また、本明細書において、照明装置２２０ａ〜２２０ｄを総称して照明装置２２０と記載することがある。また、本明細書において、照明器具２４０ａ〜２４０ｄを総称して照明器具２４０と記載することがある。また、本明細書において、第１光源２４１ａ〜２４１ｄを総称して第１光源２４１と記載することがある。また、本明細書において、第２光源２４２ａ〜２４２ｄを総称して第２光源２４２と記載することがある。
【００２７】
照明制御装置１００は、照明ユニット２００を制御する。具体的には、照明装置グループ２１０毎に、照明装置２２０の第１光源２４１の光量および第２光源２４２の光量を変更する。したがって、照明システム３００の、調光および調色を行うことができる。
【００２８】
照明制御装置１００は、ゲートウェイ１０と、通信端末５０とを有する。通信端末５０は、例えば、タブレット型端末である。ゲートウェイ１０と、通信端末５０とは、無線通信を介して通信する。無線通信は、例えば、ＷｉＦｉである。なお、通信端末５０とゲートウェイ１０との間、ゲートウェイ１０（照明制御装置１００）と照明ユニット２００との間は、無線に限らず、有線接続でもよい。
【００２９】
図１および図２を参照して、本発明の実施形態に係る照明制御装置１００についてさらに説明する。
【００３０】
図２に示すように、ゲートウェイ１０は、制御部２０と、記憶部３０とを有する。制御部２０は、例えば、ＣＰＵ（Ｃｅｎｔｒａｌ Ｐｒｏｃｅｓｓｉｎｇ Ｕｎｉｔ）を含む。制御部２０は、第１光源変更部２２と、第２光源変更部２４と、表示制御部２６とを有する。
【００３１】
第１光源変更部２２は、第１光源２４１の第１発光比率Ｒ１を変更する。第１発光比率Ｒ１は、第１光源２４１の最大光量に対する第１光源２４１の光量の割合を示す。
【００３２】
第２光源変更部２４は、第２光源２４２の第２発光比率Ｒ２を変更する。第２発光比率Ｒ２は、第２光源２４２の最大光量に対する第２光源２４２の光量の割合を示す。
【００３３】
表示制御部２６は、第１発光比率Ｒ１と第２発光比率Ｒ２とを表示部６０に表示させる。
【００３４】
記憶部３０は、例えば、ＲＯＭ（Ｒｅａｄ Ｏｎｌｙ Ｍｅｍｏｒｙ）およびＲＡＭ（Ｒａｎｄｏｍ Ａｃｃｅｓｓ Ｍｅｍｏｒｙ）を含む。記憶部３０は、例えば、画面データを記憶する。画面データは、例えば、照明システム３００の調光および調色用の設定画面のデータである。表示制御部２６は、記憶部３０に記憶された画面データを表示部６０に表示させる。なお、記憶部３０は、制御プログラムを記憶する。制御部２０のＣＰＵは、制御プログラムを実行し、第１光源変更部２２、第２光源変更部２４、表示制御部２６として機能する。
【００３５】
通信端末５０は、表示部６０と、検知部７０とを有する。表示部６０は、例えば、液晶ディスプレイまたは有機ＥＬ（エレクトロルミネッセンス）ディスプレイである。
【００３６】
検知部７０は、例えば、タッチパネルである。検知部７０は、外部からの接触操作を検知する。具体的には、ユーザーからの接触操作を検知する。
【００３７】
図１〜図３を参照して、本発明の実施形態に係る照明制御装置１００の制御方法について説明する。図３は、本発明の実施形態に係る照明制御装置１００の制御方法を示すフローチャートである。ステップＳ１０２〜ステップＳ１０６の処理が実行されることによって、照明制御装置１００は、照明器具２４０を制御する。
【００３８】
ステップＳ１０２：第１光源変更部２２は、第１光源２４１の第１発光比率Ｒ１を変更する。処理は、ステップＳ１０４に進む。
【００３９】
ステップＳ１０４：第２光源変更部２４は、第２光源２４２の第２発光比率Ｒ２を変更する。処理は、ステップＳ１０６に進む。
【００４０】
ステップＳ１０６：表示制御部２６は、第１発光比率Ｒ１と第２発光比率Ｒ２とを表示部６０に表示させる。処理は、終了する。
【００４１】
図１、図２、図４および図５を参照して、表示部６０に表示されるホーム画面４７０について説明する。図４および図５は、ホーム画面４７０を示す模式図である。
【００４２】
図４に示すように、表示制御部２６は、ホーム画面４７０を表示部６０に表示させる。ホーム画面４７０は、設定項目ボタン４００と、照明一括制御ボタン４５０とを含む。
【００４３】
設定項目ボタン４００は、第１設定項目ボタン４１０と、第２設定項目ボタン４２０と、第３設定項目ボタン４３０と、第４設定項目ボタン４４０とを含む。第１設定項目ボタン４１０には、「シーン設定」が割り付けられている。第２設定項目ボタン４２０には、「調光／調光・調色設定」が割り付けられている。第３設定項目ボタン４３０には、「スケジュール設定」が割り付けられている。第４設定項目ボタン４４０には、「管理者設定」が割り付けられている。
【００４４】
ユーザーが設定項目ボタン４００を接触操作（操作の一例）することによって、設定項目ボタン４００に割り付けられた項目を設定するための設定画面が表示される。例えば、ユーザーが、第１設定項目ボタン４１０を接触操作することによって、「シーン設定」をするための設定画面が表示される。ユーザーによって接触操作された設定項目ボタン４００は表示色が変更（例えば反転表示）される。したがって、ユーザーは、設定項目ボタン４００が選択されたことを容易に確認することができる。図４は、第２設定項目ボタン４２０が選択されている状態を示している。
【００４５】
図５に示すように、照明一括制御ボタン４５０は、全点灯ボタン４５２と、全消灯ボタン４５４とを含む。照明一括制御ボタン４５０は、照明器具２４０の点灯と消灯とを切り替えるためのボタンである。
【００４６】
ユーザーが全点灯ボタン４５２を接触操作することによって、照明システム３００が有する全ての照明器具２４０が一度に点灯される。ユーザーが全消灯ボタン４５４を接触操作することによって、照明システム３００が有する全ての照明器具２４０が一度に消灯される。
【００４７】
図１、図２、図４、図６、図７を参照して、発光比率制御画面４２９について説明する。図６は、発光比率制御画面４２９を示す模式図である。図７は、グループ発光比率制御部４２１を示す模式図である。ホーム画面４７０（図４参照）が表示されている状態から、ユーザーの第２設定項目ボタン４２０の接触操作に応じて、発光比率制御画面４２９が表示部６０に表示される。すなわち、表示制御部２６は、発光比率制御画面４２９を表示部６０に表示させる。
【００４８】
図６に示すように、発光比率制御画面４２９は、複数のグループ発光比率制御部４２１と、スクロールバー４２８と、設定項目表示部４６０とを有する。
【００４９】
複数のグループ発光比率制御部４２１は、第１グループ発光比率制御部４２１ａと、第２グループ発光比率制御部４２１ｂと、第３グループ発光比率制御部４２１ｃと、第４グループ発光比率制御部４２１ｄとを含む。第１グループ発光比率制御部４２１ａは、照明装置グループ２１０ａに含まれる照明器具２４０ａの発光比率を入力するために用いられる。第２グループ発光比率制御部４２１ｂは、照明装置グループ２１０ｂに含まれる照明器具２４０ｂの発光比率を入力するために用いられる。第３グループ発光比率制御部４２１ｃは、照明装置グループ２１０ｃに含まれる照明器具２４０ｃの発光比率を入力するために用いられる。第４グループ発光比率制御部４２１ｄは、照明装置グループ２１０ｄに含まれる照明器具２４０ｄの発光比率を入力するために用いられる。
【００５０】
スクロールバー４２８は、複数のグループ発光比率制御部４２１の表示をスクロールするために用いられる。スクロールバー４２８は、つまみ４２８ａを有する。ユーザーのつまみ４２８ａへの接触操作に応じて、つまみ４２８ａは上下にスライドする。その結果、複数のグループ発光比率制御部４２１の表示がスクロールする。本実施形態では、同時に表示可能なグループ発光比率制御部４２１の数は４つとしているが、５つ以上のグループ発光比率制御部が設定されているときにスクロールバーを操作して画面をスクロールさせることで、表示されていなかったグループ発光比率制御部４２１を表示させることができる。その結果、ユーザーは、全てのグループ発光比率制御部４２１の表示を確認することができる。
【００５１】
設定項目表示部４６０は、項目表示部４６２と、項目移動部４６４とを有する。項目表示部４６２には、表示部６０に表示されている設定項目が表示されている。ここでは、「調光／調光・調色」と表示されている。項目移動部４６４については、図１１を参照して後述する。
【００５２】
グループ発光比率制御部４２１について、図７を参照してさらに説明する。図７に示すように、第２グループ発光比率制御部４２１ｂは、グループ表示領域４２２と、スイッチ部４２３と、第１入力部４２６ａと、第２入力部４２６ｂと、第１逐次表示領域４２４ａと、第１決定表示領域４２５ａと、第２決定表示領域４２５ｂとを含む。
【００５３】
グループ表示領域４２２には、照明装置グループ名が表示される。
【００５４】
スイッチ部４２３は、照明器具２４０の点灯と消灯とを切り替える。
【００５５】
第１入力部４２６ａは、ユーザーの操作を受け付けて第１制御値を入力する。第１制御値は、例えば、第１発光比率Ｒ１を示す。第１光源変更部２２は、第１制御値が示す発光比率を第１発光比率Ｒ１として設定する。したがって、ユーザーは、第１光源２４１の発光比率を個別に設定することができる。
【００５６】
第１入力部４２６ａは、例えば、スライダーである。第１入力部４２６ａは、第１発光比率バー４２８ａと、第１カーソル４２７ａとを有する。第１発光比率バー４２８ａは、第１光源２４１の最大光量に対応する長さを有する。第１カーソル４２７ａは、第１カーソル４２７ａへのユーザーの接触操作に応じて第１発光比率バー４２８ａ上をスライドする。ユーザーは、第１カーソル４２７ａをスライドさせることによって、所望の発光比率に第１発光比率Ｒ１を設定することができる。
【００５７】
第１逐次表示領域４２４ａは、第１カーソル４２７ａに対応付けて表示される。本実施形態では、第１逐次表示領域４２４ａは、吹き出し状に表示される。第１カーソル４２７ａへのユーザーの接触操作に応じて、第１逐次表示領域４２４ａには、第１制御値の示す発光比率が第１発光比率Ｒ１として表示される。具体的には、検知部７０がユーザーの接触操作を検知すると、表示制御部２６は、第１逐次表示領域４２４ａを第１カーソル４２７ａの近傍に表示させる。第１制御値は、第１カーソル４２７ａの位置に応じた値を示す。ここでは、第１逐次表示領域４２４ａには、「７０％」が表示されている。なお、第１逐次表示領域４２４ａは、ユーザーが第１カーソル４２７ａを接触操作していないときは表示されず、ユーザーが第１カーソル４２７ａを接触操作しているときのみ表示する。また、第１逐次表示領域４２４ａは、常時表示させてもよい。
【００５８】
表示制御部２６は、第１カーソル４２７ａのスライドに連動して、第１逐次表示領域４２４ａがスライドするように、表示部６０に表示させる。また、ユーザーが第１カーソル４２７ａをスライドすることによって、第１逐次表示領域４２４ａに表示される第１発光比率Ｒ１が第１カーソル４２７ａに連動して変更される。そして、第１光源変更部２２は、第１光源２４１の第１発光比率Ｒ１を逐次変更する。したがって、ユーザーは、照明器具２４０の点灯状態を実際に確認しながら、第１発光比率Ｒ１を逐次変更することができる。
【００５９】
第１決定表示領域４２５ａには、ユーザーの接触操作の終了に応じて、第１制御値の示す発光比率が第１発光比率Ｒ１として表示される。具体的には、第１カーソル４２７ａへのユーザーの接触操作が終了すると、接触操作終了時点で第１逐次表示領域４２４ａに表示される発光比率が、第１決定表示領域４２５ａに反映される。ここでユーザーの接触操作の終了とは、検知部７０がユーザーの接触操作を検知している状態から、ユーザーの接触操作を検知しなくなったことを示す。
【００６０】
第２入力部４２６ｂは、第１入力部４２６ａと同様の構成を有するため重複部分については説明を省略する。第２入力部４２６ｂは、ユーザーの操作を受け付けて第２制御値を入力する。第２制御値は、例えば、第２発光比率Ｒ２を示す。第２光源変更部２４は、第２制御値が示す発光比率を第２発光比率Ｒ２として設定する。したがって、ユーザーは、第２光源２４２の発光比率を個別に設定することができる。
【００６１】
第１発光比率バー４２８ａの色彩と第２発光比率バー４２８ｂの色彩とは異なる。例えば、第１発光比率バー４２８ａの色彩は、オレンジ色であり、第２発光比率バー４２８ｂの色彩は、青色である。したがって、第１光源２４１および第２光源２４２の色彩に合わせて色分けされているため、発光比率を設定する第１光源２４１および第２光源２４２の色彩を容易に把握することができる。
【００６２】
以上、図１〜図７を参照して説明したように、照明制御装置１００では、第１光源変更部２２は、第１光源２４１の第１発光比率Ｒ１を変更する。また、第２光源変更部２４は、第２光源２４２の第２発光比率Ｒ２を変更する。表示制御部２６は、第１発光比率Ｒ１と第２発光比率Ｒ２とを表示部６０に表示させる。したがって、第１発光比率Ｒ１と第２発光比率Ｒ２の値を確認しながら、第１発光比率Ｒ１と第２発光比率Ｒ２とを個別に設定できる。したがって、照明器具２４０の調色の設定を容易にすることができる。例えば、色温度の知識の無いユーザーであっても、照明器具２４０の調色の設定を容易にすることができる。
【００６３】
図１、図２、図８〜図１１を参照して、組合せパターン選択画面４１１について説明する。図８〜図１１は、組合せパターン選択画面４１１を示す模式図である。ホーム画面４７０（図４参照）が表示されている状態から、ユーザーの第１設定項目ボタン４１０の接触操作に応じて、組合せパターン選択画面４１１が表示部６０に表示される。すなわち、表示制御部２６は、組合せパターン選択画面４１１を表示部６０に表示させる。
【００６４】
組合せパターン選択画面４１１は、複数の選択ボタン４１２と、スクロールバー４１４と、設定項目表示部４６０とを含む。複数の選択ボタン４１２は、それぞれ、複数の組合せパターンに対応付けられている。複数の組合せパターンは、記憶部３０に記憶されている。複数の組合せパターンの各々は、第１発光比率Ｒ１と第２発光比率Ｒ２との組み合わせを示す。本明細書において、組み合わせパターンのことを「シーン」と記載することがある。選択ボタン４１２には、シーンの名称またはシーンを示す画像が表示される。シーンの名称は、例えば、「午前中」、「昼休憩」である。シーンを示す画像は、例えば、会議中を示すピクトグラムである。
【００６５】
ユーザーからの選択ボタン４１２への接触操作に応じて、複数の選択ボタン４１２のうちいずれか１つの選択ボタン４１２が選択される。その結果、選択ボタン４１２に対応付けられた組合せパターンに基づいて、第１光源変更部２２が第１発光比率Ｒ１を変更するとともに、第２光源変更部２４が第２発光比率Ｒ２を変更する。選択された選択ボタン４１２は背景が例えば黒く表示される。したがって、ユーザーは、選択された選択ボタン４１２を容易に確認することができる。
【００６６】
複数の選択ボタン４１２の各々は、確認ボタン４１５を含む。選択された選択ボタン４１２に含まれる確認ボタン４１５への接触操作に応じて、表示制御部２６は、確認画面を表示部６０に表示させる。
【００６７】
図９および図１０を参照して、確認画面４１６について説明する。図９および図１０は、確認画面４１６を示す模式図である。図９は、調光の設定用の確認画面４１６である。図１０は、調光・調色の設定用の確認画面４１６である。
【００６８】
まず、図９を参照して、調光の設定用の確認画面４１６について説明する。図９に示すように、確認画面４１６は、組合せパターン名表示領域４１６ａと、項目表示領域４１６ｂと、グループ表示領域４１６ｃと、第１確認領域４１６ｄ、確認終了ボタン４１８とを含む。
【００６９】
組合せパターン名表示領域４１６ａには、組合せパターン名が表示される。ここでは、組合せパターン名表示領域４１６ａには、「カフェスペース」と表示されている。
【００７０】
項目表示領域４１６ｂには、「調光」または「調光・調色」のいずれの設定を表示しているかが表示されている。ここでは、項目表示領域４１６ｂには、「調光」と表示されている。
【００７１】
グループ表示領域４１６ｃには、照明装置グループ名が表示される。
【００７２】
第１確認領域４１６ｄには、各照明装置グループ２１０に含まれる照明器具２４０の第１光源２４１の発光比率が表示される。
【００７３】
確認終了ボタン４１８は、確認画面４１６を終了するボタンである。
【００７４】
続いて、図１０を参照して、調光・調色の設定用の確認画面４１６について説明する。図１０に示すように、確認画面４１６は、組合せパターン名表示領域４１６ａと、項目表示領域４１６ｂと、グループ表示領域４１６ｃと、第１確認領域４１６ｅと、第２確認領域４１６ｆと、確認終了ボタン４１８とを含む。図９を参照して説明した確認画面４１６と重複する部分は説明を省略する。
【００７５】
第１確認領域４１６ｅには、第１発光比率Ｒ１が表示される。第１発光比率Ｒ１は、選択された選択ボタン４１２に対応付けられた組合せパターンが示す第１光源２４１の発光比率である。第２発光比率Ｒ２は、選択された選択ボタン４１２に対応付けられた組合せパターンが示す第２光源２４２の発光比率である。
【００７６】
第１確認領域４１６ｅと、第２確認領域４１６ｆとの色彩は異なる。したがって、第１光源２４１の発光比率および第２光源２４２の発光比率を容易に確認することができる。
【００７７】
また、表示制御部２６は、確認画面４１６を組合せパターン選択画面４１１に重なるように表示部６０に表示させる。確認画面４１６の明度は組合せパターン選択画面４１１の明度よりも高い。したがって、確認画面４１６の周囲が暗くなるため、確認画面４１６が見やすくなる。
【００７８】
図１１を参照して、項目移動部４６４について説明する。図１１に示すように、ユーザーが項目移動部４６４を接触操作することによって、項目移動ボタン４８０が表示される。項目移動ボタン４８０は、第１項目移動ボタン４８２と、第２項目移動ボタン４８４と、第３項目移動ボタン４８６と、第４項目移動ボタン４８８とを含む。第１項目移動ボタン４８２には、「トップ」が割り付けられている。第２項目移動ボタン４８４には、「調光／調光・調色設定」が割り付けられている。第３項目移動ボタン４８６には、「スケジュール設定」が割り付けられている。第４項目移動ボタン４８８には、「管理者設定」が割り付けられている。ユーザーが項目移動ボタン４８０を接触操作することによって、選択された項目移動ボタン４８０に対応する項目の画面に遷移する。
【００７９】
図１、図２、図１２および図１３を参照して、スケジュール画面４３５について説明する。図１２および図１３は、スケジュール画面４３５を示す模式図である。ホーム画面４７０（図４参照）が表示されている状態から、ユーザーの第３設定項目ボタン４３０の接触操作に応じて、スケジュール画面４３５が表示部６０に表示される。すなわち、表示制御部２６は、スケジュール画面４３５を表示部６０に表示させる。
【００８０】
図１２に示すように、スケジュール画面４３５は、スケジュール表示領域４３１と、スクロールバー４３９と、設定項目表示部４６０とを有する。スケジュール表示領域４３１は、タイムバー４３２と、複数の予定領域４３４と、マーカー４３３と、時刻表示部４３６と、ステータス表示部４３７と、切替ボタン４３８とを含む。
【００８１】
タイムバー４３２は、所定の期間長に対応する長さを有している。本実施形態では、所定の期間長は２４時間である。タイムバー４３２は、所定の期間単位で区切られている。本実施形態では、所定の期間単位は、１時間である。
【００８２】
複数の予定領域４３４は、予定領域４３４ａと、予定領域４３４ｂと、予定領域４３４ｃとを含む。複数の予定領域４３４の各々は、タイムバー４３２上に配置される。複数の予定領域４３４の各々には、複数の組合せパターン（シーン）のいずれか１つが割り当てられる。具体的には、予定領域４３４ａには、シーン１が割り当てられ、予定領域４３４ｂには、シーン２が割り当てられ、予定領域４３４ｃには、シーン３が割り当てられる。
【００８３】
複数の予定領域４３４の各々は、割り当てられた組合せパターンに基づく照明器具２４０の点灯の開始時刻と終了時刻とによって定められる。具体的には、予定領域４３４ａは、開始時刻６時３０分と終了時刻１２時００分とによって定められる。予定領域４３４ｂは、開始時刻１２時００分と終了時刻１７時３０分とによって定められる。予定領域４３４ｃは、開始時刻１７時３０分と終了時刻２１時００分とによって定められる。
【００８４】
複数の組合せパターンには、異なる色彩が割り当てられている。予定領域４３４は、予定領域４３４に割り当てられた組合せパターンに割り当てられた色彩を有する。例えば、予定領域４３４ａは青色で表示され、予定領域４３４ｂは黄色で表示され、予定領域４３４ｃはオレンジ色で表示される。したがって、シーンの設定の時間帯を容易に確認することができる。
【００８５】
マーカー４３３は、タイムバー４３２上の現在時刻に相当する位置に位置する。図１２に示す例では、マーカー４３３は、１５時００分の位置に位置する。したがって、現在時刻のシーンの設定を容易に確認することができる。
【００８６】
時刻表示部４３６は、現在時刻を数値で表示する。本実施形態では、時刻表示部４３６には、「１５：００」と表示されている。
【００８７】
ステータス表示部４３７は、スケジュール機能の実行状態を表示する。本実施形態では、ステータス表示部４３７には、「シーン２実行中」と表示されている。すなわち、シーン２の設定で照明器具２４０が点灯していることを示す。
【００８８】
切替ボタン４３８は、切替ボタン４３８へのユーザーの接触操作に応じて、スケジュール機能の実行と停止とを切り替える。例えば、スケジュール機能実行中の図１２に示す画面の状態において、切替ボタン４３８がユーザーによって接触操作されると、スケジュール機能は停止され、図１３に示す画面の状態に遷移する。
【００８９】
図１３を参照して、さらにスケジュール画面４３５について説明する。図１２を参照して説明したスケジュール画面４３５と重複する部分については説明を省略する。
【００９０】
ステータス表示部４３７には、「停止中」と表示されている。すなわち、スケジュール機能を停止していることを示す。
【００９１】
スケジュール機能停止中の図１３に示す画面の状態において、切替ボタン４３８がユーザーによって接触操作されると、スケジュール機能の実行が開始され、図１２に示す画面の状態に遷移する。
【００９２】
ユーザーからのマーカー４３３への接触操作に応じてマーカー４３３が移動するように構成することが好ましい。そして、マーカー４３３によって特定される予定領域４３４に割り当てられた組合せパターンに応じて、第１光源変更部２２が第１発光比率Ｒ１を変更するとともに、第２光源変更部２４が第２発光比率Ｒ２を変更する。例えば、タイムバー４３２上の９時００分を示す位置に、マーカー４３３が移動した場合、シーン１の組み合わせパターンに応じて、第１光源変更部２２が第１発光比率Ｒ１を変更するとともに、第２光源変更部２４が第２発光比率Ｒ２を変更する。したがって、容易に時間帯ごとの照明器具２４０の点灯状態を確認することができる。
【００９３】
また、ユーザーからの予定領域４３４への接触操作に応じて、予定領域４３４は、移動、収縮、または拡大される。例えば、ユーザーが予定領域４３４ａの開始時刻（左端）を接触操作した後に、左の方向へスライドさせることによって、開始時刻を６時３０分から５時３０分に変更することができる。その結果、予定領域４３４ａは拡大される。また、ユーザーが予定領域４３４ａの開始時刻（左端）を接触操作した後に、右の方向へスライドさせることによって、開始時刻を６時３０分から７時３０分に変更することができる。その結果、予定領域４３４ａは収縮される。また、ユーザーが予定領域４３４ａの中央を接触操作した後に、左の方向へスライドさせることによって、実行時間は変更せずに、開始時刻を６時３０分から５時３０分に変更し、かつ、終了時刻を１２時００分から１１時００分に変更することができる。その結果、予定領域４３４ａは移動される。このように、ユーザーからの予定領域４３４への接触操作によって、容易にシーンの開始時刻および終了時刻を設定することができる。
【００９４】
図１、図２、図４および図１４を参照して、照明制御装置１００の動作モードの移行について説明する。図１４は、本発明の実施形態に係る照明制御装置１００の動作モード移行方法を示すフローチャートである。図１４に示すように、ステップＳ２０２〜ステップＳ２０８の処理が実行されることによって、照明制御装置１００は、動作モードを移行する。
【００９５】
ステップＳ２０２：表示制御部２６は、管理者設定選択されたか否かを判定する。具体的には、表示制御部２６は、第４設定項目ボタン４４０（図４参照）がユーザーによって接触されたかどうかを判定する。表示制御部２６が、管理者設定選択されたと判定しなかった場合（ステップＳ２０２：Ｎｏ）、処理はステップＳ２０８に進む。表示制御部２６が、管理者設定選択されたと判定した場合（ステップＳ２０２：Ｙｅｓ）、処理はステップＳ２０４に進む。
【００９６】
ステップＳ２０４：管理者の認証に成功したか否かを判定する。具体的には、表示制御部２６は、パスワードを入力する画面を表示部６０に表示させる。ユーザーによって入力されたパスワードが正しくなかった場合、すなわち、表示制御部２６が、管理者の認証に成功しなかった場合（ステップＳ２０４：Ｎｏ）、処理はステップＳ２０８に進む。ユーザーによって入力されたパスワードが正しかった場合、すなわち、表示制御部２６が、管理者の認証に成功した場合（ステップＳ２０４：Ｙｅｓ）、処理はステップＳ２０６に進む。
【００９７】
ステップＳ２０６：表示制御部２６は、動作モードを管理者設定モードに移行する。処理は終了する。
【００９８】
ステップＳ２０８：表示制御部２６は、動作モードをユーザー設定モードに移行する。処理は終了する。
【００９９】
ユーザー設定モードでは、図１〜図１３を参照して説明した項目の設定を行うことができる。
【０１００】
管理者設定モードでは、ユーザー設定モードで設定可能な設定に加えて、管理者のみが設定できる設定を行うことができる。
【０１０１】
例えば、シーン設定機能において、管理者は「カフェスペース」のようなシーンの名称を設定することができる。
【０１０２】
また、スケジュール設定機能において、管理者は、季節（「春」、「夏」、「秋」および「冬」）の期間を設定することができる。したがって、季節によって照明器具２４０の点灯スケジュールを変更することができる。また、管理者は、平日の曜日（例えば、「月」、「火」、「水」、「木」および「金」）の設定を行うことができる。したがって、平日のみスケジュールにしたがって照明器具２４０を点灯し、平日以外の曜日（「土」および「日」）はスケジュール機能を停止することができる。また、管理者は、稼働日および非稼働日の設定を行うことができる。例えば、非稼働日に長期休暇の期間を設定することによって、平日であってもスケジュール機能を停止することができる。
【０１０３】
以上、図面（図１〜図１４）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【０１０４】
（１）図１〜図１３を参照して説明したように、照明制御装置１００は、表示部６０を有していたが、本発明はこれに限定されない。例えば、表示部６０は、照明制御装置１００の外部に有していてもよい。
【０１０５】
（２）図１〜図１３を参照して説明したように、照明制御装置１００は、ゲートウェイ１０を有していたが、本発明はこれに限定されない。例えば、通信端末５０から直接照明システム３００を制御するようにしてもよい。この場合、制御プログラムが通信端末５０にインストールされ、図４〜図１３の画面が通信端末５０に表示される。
【０１０６】
（３）図１〜図１３を参照して説明したように、通信端末５０は、タブレット型端末であったが、本発明はこれに限定されない。例えば、通信端末５０は、スマートフォンであってもよい。あるいは、通信端末５０は、パーソナルコンピューターであってもよい。通信端末５０がパーソナルコンピューターである場合、表示部６０に表示された画面に対する操作は、例えば、マウスを介して行っても良い。
【０１０７】
（４）図１〜図１３を参照して説明したように、スケジュール画面４３５は、マーカー４３３を有していたが、本発明はこれに限定されない。例えば、スケジュール画面４３５は、マーカー４３３を有してなくてもよい。
【０１０８】
（付記１）
第１光源と第２光源とを有する照明器具を制御する照明制御装置であって、
前記第１光源の第１発光比率を変更する第１光源変更部と、
前記第２光源の第２発光比率を変更する第２光源変更部と、
前記第１発光比率と前記第２発光比率とを表示部に表示させる表示制御部と
を備え、
前記第１発光比率は、前記第１光源の最大光量に対する前記第１光源の光量の割合を示し、
前記第２発光比率は、前記第２光源の最大光量に対する前記第２光源の光量の割合を示す、照明制御装置。
【０１０９】
（付記２）
前記表示制御部は、発光比率制御画面を前記表示部に表示させ、
前記発光比率制御画面は、
外部からの操作を受け付けて第１制御値を入力する第１入力部と、
前記外部からの操作を受け付けて第２制御値を入力する第２入力部と
を有し、
前記第１光源変更部は、前記第１制御値が示す発光比率を前記第１発光比率として設定し、
前記第２光源変更部は、前記第２制御値が示す発光比率を前記第２発光比率として設定する、付記１に記載の照明制御装置。
【０１１０】
（付記３）
前記第１入力部は、
前記第１光源の前記最大光量に対応する長さを有する第１発光比率バーと、
前記外部からの操作に応じて前記第１発光比率バー上をスライドする第１カーソルと
を有し、
前記第２入力部は、
前記第２光源の前記最大光量に対応する長さを有する第２発光比率バーと、
前記外部からの操作に応じて前記第２発光比率バー上をスライドする第２カーソルと
を有する、付記２に記載の照明制御装置。
【０１１１】
（付記４）
前記発光比率制御画面は、第１逐次表示領域と第２逐次表示領域とを含み、
前記第１逐次表示領域は、前記第１カーソルに対応付けて表示され、
前記第１カーソルへの前記外部からの前記操作に応じて、前記第１逐次表示領域には、前記第１制御値の示す前記発光比率が前記第１発光比率として表示され、
前記第１制御値は、前記第１カーソルの位置に応じた値を示し、
前記第２逐次表示領域は、前記第２カーソルに対応付けて表示され、
前記第２カーソルへの前記外部からの前記操作に応じて、前記第２逐次表示領域には、前記第２制御値の示す前記発光比率が前記第２発光比率として表示され、
前記第２制御値は、前記第２カーソルの位置に応じた値を示す、付記３に記載の照明制御装置。
【０１１２】
（付記５）
前記発光比率制御画面は、第１決定表示領域と第２決定表示領域とを含み、
前記外部からの前記操作の終了に応じて、前記第１決定表示領域には、前記第１制御値の示す前記発光比率が前記第１発光比率として表示され、
前記外部からの前記操作の終了に応じて、前記第２決定表示領域には、前記第２制御値の示す前記発光比率が前記第２発光比率として表示される、付記３または付記４に記載の照明制御装置。
【０１１３】
（付記６）
前記第１発光比率バーの色彩と前記第２発光比率バーの色彩とは異なる、付記３から付記５のいずれか１項に記載の照明制御装置。
【０１１４】
（付記７）
前記発光比率制御画面は、前記照明器具の点灯と消灯とを切り替えるスイッチ部を有する、付記２から付記６のいずれか１項に記載の照明制御装置。
【０１１５】
（付記８）
複数の組合せパターンを記憶する記憶部をさらに備え、
前記複数の組合せパターンの各々は、前記第１発光比率と前記第２発光比率との組み合わせを示し、
前記表示制御部は、組合せパターン選択画面を前記表示部に表示させ、
前記組合せパターン選択画面は、複数の選択ボタンを含み、
前記複数の選択ボタンは、それぞれ、前記複数の組合せパターンに対応付けられており、
外部からの前記選択ボタンへの操作に応じて、前記複数の選択ボタンのうちいずれか１つの前記選択ボタンが選択され、
前記複数の選択ボタンの各々は、確認ボタンを含み、
前記選択された選択ボタンに含まれる前記確認ボタンへの操作に応じて、前記表示制御部は、確認画面を前記表示部に表示させ、
前記確認画面は、第１確認領域および第２確認領域を含み、
前記第１確認領域には、前記選択された選択ボタンに対応付けられた組合せパターンが示す前記第１発光比率が表示され、
前記第２確認領域には、前記選択された選択ボタンに対応付けられた組合せパターンが示す前記第２発光比率が表示され、
前記第１確認領域の色彩と前記第２確認領域の色彩とは異なる、付記１から付記７のいずれか１項に記載の照明制御装置。
【０１１６】
（付記９）
前記表示制御部は、前記確認画面を前記組合せパターン選択画面に重なるように前記表示部に表示させ、
前記確認画面の明度は前記組合せパターン選択画面の明度よりも高い、付記８に記載の照明制御装置。
【０１１７】
（付記１０）
前記表示制御部は、スケジュール画面を前記表示部に表示させ、
前記スケジュール画面は、
タイムバーと、
前記タイムバー上に配置される複数の予定領域と
を含み、
前記タイムバーは、所定の期間長に対応する長さを有し、所定の期間単位で区切られており、
前記複数の予定領域の各々には、前記複数の組合せパターンのいずれか１つが割り当てられ、
前記複数の予定領域の各々は、前記割り当てられた組合せパターンに基づく前記照明器具の点灯の開始時刻と終了時刻とによって定められ、
前記複数の組合せパターンには、異なる色彩が割り当てられており、
前記予定領域は、前記予定領域に割り当てられた前記組合せパターンに割り当てられた前記色彩を有する、付記８または付記９に記載の照明制御装置。
【０１１８】
（付記１１）
前記スケジュール画面は、マーカーを有し、
前記マーカーは前記タイムバー上の現在時刻に相当する位置に位置する、付記１０に記載の照明制御装置。
【０１１９】
（付記１２）
前記外部からの前記マーカーへの操作に応じて前記マーカーが移動し、前記マーカーによって特定される前記予定領域に割り当てられた前記組合せパターンに応じて、前記第１光源変更部が前記第１発光比率を変更するとともに、前記第２光源変更部が前記第２発光比率を変更する、付記１１に記載の照明制御装置。
【０１２０】
（付記１３）
前記外部からの前記予定領域への操作に応じて、前記予定領域は、移動、収縮、または拡大される、付記１０から付記１２のいずれか１項に記載の照明制御装置。
【０１２１】
（付記１４）
付記１から付記１３のいずれか１項に記載の照明制御装置と、
前記照明器具と
を備え、
前記照明制御装置は前記照明器具を制御する、照明システム。
【符号の説明】
【０１２２】
１０        ゲートウェイ
２２        第１光源変更部
２４        第２光源変更部
２６        表示制御部
３０        記憶部
６０        表示部
１００      照明制御装置
２４０、２４０ａ、２４０ｂ、２４０ｃ、２４０ｄ  照明器具
２４１、２４１ａ  第１光源
２４２、２４２ａ  第２光源
３００      照明システム
４００      設定項目ボタン
４１１      組合せパターン選択画面
４１２      選択ボタン
４１５      確認ボタン
４１６      確認画面
４１６ｅ    第１確認領域
４１６ｆ    第２確認領域
４２３      スイッチ部
４２４ａ    第１逐次表示領域
４２５ａ    第１決定表示領域
４２５ｂ    第２決定表示領域
４２６ａ    第１入力部
４２６ｂ    第２入力部
４２７ａ    第１カーソル
４２８ａ    第１発光比率バー
４２８ｂ    第２発光比率バー
４２９      発光比率制御画面
４３２      タイムバー
４３３      マーカー
４３４、４３４ａ、４３４ｂ、４３４ｃ  予定領域
４３５      スケジュール画面
Ｒ１        第１発光比率
Ｒ２        第２発光比率
【図１】
2017212096.tif 000003
【図２】
2017212096.tif 000004
【図３】
2017212096.tif 000005
【図４】
2017212096.tif 000006
【図５】
2017212096.tif 000007
【図６】
2017212096.tif 000008
【図７】
2017212096.tif 000009
【図８】
2017212096.tif 000010
【図９】
2017212096.tif 000011
【図１０】
2017212096.tif 000012
【図１１】
2017212096.tif 000013
【図１２】
2017212096.tif 000014
【図１３】
2017212096.tif 000015
【図１４】
2017212096.tif 000016